(57)【要約】【課題】隣接する端子収容室同士の間に開口領域がある場合であっても端子収容室の内部において端子金具が傾くことを抑制することが可能なコネクタを提供すること。【解決手段】コネクタは、複数の端子収容室２０１を有するハウジング２００と、複数の端子収容室２０１の各々に収容された端子金具Ｔ２を所定箇所に留めるように係止するスペーサ４００と、を備える。ハウジング２００は、互いに隣り合う２つの端子収容室２０１の間に開口領域２０４を有する。少なくとも一方の端子収容室２０１に収容される端子金具Ｔ２の係止片Ｔ２ａがスペーサ４００に食い込みながら収容方向後方に移動しても、端子金具Ｔ２の先端部Ｔ２ｂが開口領域２０４を通じて他方の端子収容室２０１に近づかないように端子金具Ｔ２の先端部Ｔ２ｂを支持する支持壁２０５が、開口領域２０４の開口面積を小さくするように、開口領域２０４の周縁部２０４ａから収容方向後方に延びている。【選択図】図３
2019032938.tif 000002
【特許請求の範囲】
【請求項１】
複数の端子収容室を有するハウジングと、前記複数の端子収容室の各々に収容方向前方に挿入される端子金具と、前記端子金具の収容方向後方への移動を規制するように前記端子金具を係止するスペーサと、を備えたコネクタにおいて、
前記端子金具は、
収容方向に延びる板状の係止片を有すると共に、前記係止片の収容方向後方の縁端部が前記スペーサに当接することによって係止され、
前記ハウジングは、
互いに隣り合う２つの前記端子収容室の間に画成された開口領域と、前記開口領域の開口面積を小さくするように前記開口領域の周縁部から収容方向後方に延びる支持壁と、を有し、
前記支持壁は、
少なくとも一方の前記端子収容室に収容される前記端子金具が前記係止片の前記縁端部を前記スペーサに食い込ませながら収容方向後方に移動した場合であっても、前記端子金具の先端部が前記開口領域を通じて他方の前記端子収容室に近づかないように、前記先端部を支持する、
コネクタ。
【請求項２】
請求項１に記載のコネクタにおいて、
前記支持壁は、
前記収容方向における長さが、前記係止片が当接することになる前記スペーサの部分の前記収容方向における厚さよりも長い、ように構成されている、
コネクタ。
【発明の詳細な説明】
【技術分野】
【０００１】
本発明は、複数の端子収容室を有するハウジングと、複数の端子収容室の各々に収容される端子金具と、端子金具の収容方向後方への移動を規制するように端子金具を係止するスペーサと、を備えたコネクタ、に関する。
【背景技術】
【０００２】
従来から、端子金具を端子収容室の中の所定位置に留めるように係止するスペーサを用いたコネクタが、提案されている（例えば、特許文献１，２を参照。）。
【０００３】
例えば、従来のコネクタの一つ（以下「従来コネクタ」という。）では、コネクタを小型化する等の観点から、互いに隣り合う２つの端子収容室の間に開口領域（端子収容室を区分けする壁が存在しない領域）を設けている。従来コネクタでは、この開口領域にスペーサの一部分を配置し、端子金具が開口領域に入り込むことを防止している（例えば、特許文献１を参照。）。
【先行技術文献】
【特許文献】
【０００４】
【特許文献１】特開２００３−１１５３４１号公報
【特許文献２】特開２０１５−１９５１２４号公報
【発明の概要】
【発明が解決しようとする課題】
【０００５】
上述した従来コネクタでは、スペーサによって係止された端子金具は、スペーサによる係止を解除しない限り収容方向後方へ移動できないことが前提となっている。しかし、実際には、端子金具に繋がる電線を配索する際に電線に大きな外力が及んだ場合などにおいて、端子金具が電線に引かれてスペーサに押し付けられると、端子金具の一部（例えば、薄板状の係止片）がスペーサに食い込む場合がある。この場合、食い込みが生じた分だけ、端子金具が収容方向後方に移動することになる。
【０００６】
従来コネクタでは、隣接する端子収容室同士の間の開口領域にスペーサの一部が存在するものの、開口領域は完全には塞がれていない。そのため、上述したように端子金具がスペーサに食い込んだ場合、その食い込んだ箇所を中心に端子金具が回転するように傾きながら、端子金具の一部が開口領域に入り込む可能性がある。換言すると、端子収容室内において、端子金具が収容方向に対して交差する向きに傾く場合がある。この場合、端子金具の傾きが過度に大きくなると、コネクタを相手方コネクタに嵌合する際、端子金具と相手方端子とが適正に接触できず、両者の電気的接続が不十分となる可能性がある。よって、このような端子金具の傾き（位置ズレ）は、出来る限り抑制されることが望ましい。
【０００７】
本発明は、上述した事情に鑑みてなされたものであり、その目的は、隣接する端子収容室同士の間に開口領域がある場合であっても端子収容室内での端子金具の傾きを抑制することが可能なコネクタ、を提供することにある。
【課題を解決するための手段】
【０００８】
前述した目的を達成するために、本発明に係るコネクタは、下記（１）及び（２）を特徴としている。
（１）
複数の端子収容室を有するハウジングと、前記複数の端子収容室の各々に収容方向前方に挿入される端子金具と、前記端子金具の収容方向後方への移動を規制するように前記端子金具を係止するスペーサと、を備えたコネクタにおいて、
前記端子金具は、
収容方向に延びる板状の係止片を有すると共に、前記係止片の収容方向後方の縁端部が前記スペーサに当接することによって係止され、
前記ハウジングは、
互いに隣り合う２つの前記端子収容室の間に画成された開口領域と、前記開口領域の開口面積を小さくするように前記開口領域の周縁部から収容方向後方に延びる支持壁と、を有し、
前記支持壁は、
少なくとも一方の前記端子収容室に収容される前記端子金具が前記係止片の前記縁端部を前記スペーサに食い込ませながら収容方向後方に移動した場合であっても、前記端子金具の先端部が前記開口領域を通じて他方の前記端子収容室に近づかないように、前記先端部を支持する、
コネクタであること。
（２）
上記（１）に記載のコネクタにおいて、
前記支持壁は、
前記収容方向における長さが、前記係止片が当接することになる前記スペーサの部分の前記収容方向における厚さよりも長い、ように構成されている、
コネクタであること。
【０００９】
上記（１）の構成のコネクタによれば、端子金具が係止片をスペーサに食い込ませながら収容方向後方に移動した場合であっても、支持壁によって端子金具の先端部が支持されるため、端子金具に傾き（位置ズレ）が生じることが抑制される。したがって、本構成のコネクタは、隣接する端子収容室同士の間に開口領域がある場合であっても端子収容室内での端子金具の傾きを抑制することが可能である。
【００１０】
本構成のコネクタは、更に、上記とは異なる効果も有する。具体的には、端子金具は一般に金属板を所定形状に打ち抜いた板材を湾曲等させて製造するため、端子金具の係止片の収容方向後方の端面（打ち抜き面）は、板材の主面（換言すると、端子収容室の収容方向）に対してほぼ垂直になっている。そのため、端子金具が収容方向後方に移動してスペーサに食い込むとき、端子金具が傾いていなければ、係止片の端面を先頭にして係止片がスペーサ内を進行することになる。これに対し、端子金具が傾いていると、係止片の端面と主面との境界（打ち抜きの際に生じたエッジ）を先頭にして係止片がスペーサ内を進行することになる。後者（エッジが先頭）の場合、前者（端面が先頭）に比べ、スペーサ内を係止片が切り裂いて進行し易いため、スペーサへの端子金具の食い込み量が大きくなる傾向がある。そこで、食い込み量を小さくする点で、前者（端面が先頭）の方が後者（エッジが先頭）よりも好ましい。換言すると、上記構成によって端子金具の傾きが抑制されれば、端子金具が過剰な食い込みによって収容方向後方に移動し過ぎること、及び、それに伴って相手方端子との電気的接続が不十分となること、を抑制できる。
【００１１】
上記（２）の構成のコネクタによれば、支持壁の長さが、スペーサの厚さよりも長い。そのため、係止片がスペーサに食い込んだ場合であっても、係止片の食い込み量がスペーサの厚みよりも小さい限り（即ち、係止片がスペーサを貫通しない限り）、支持壁によって端子金具の先端部が支持され、端子金具に傾き（位置ズレ）が生じることが抑制される。よって、本構成のコネクタは、実用上、ほぼ確実に端子金具の傾きを抑制できる。
【発明の効果】
【００１２】
本発明によれば、隣接する端子収容室同士の間に開口領域がある場合であっても端子収容室内での端子金具の傾きを抑制することが可能なコネクタを提供できる。
【００１３】
以上、本発明について簡潔に説明した。更に、以下に説明される発明を実施するための形態（以下「実施形態」という。）を添付の図面を参照して通読することにより、本発明の詳細は更に明確化されるであろう。
【図面の簡単な説明】
【００１４】
【図１】図１は、本発明の実施形態に係るコネクタの、スペーサが配置されたメスハウジングとオスハウジングとが嵌合する前の状態の斜視図である。
【図２】図２は、メスハウジングに収容されるメス端子の側面図である。
【図３】図３（ａ）〜（ｃ）は、メスハウジングに収容されたメス端子をメスハウジングに配置されたスペーサが係止する状態を示すメスハウジング及びスペーサの断面図である。
【図４】図４（ａ）〜（ｃ）は、メスハウジングに収容されたメス端子が端子収容室の内部において傾いた状態を示すメスハウジング及びスペーサの断面図である。
【発明を実施するための形態】
【００１５】
＜実施形態＞
以下、図面を参照しながら、本発明の実施形態に係るコネクタ１について説明する。
【００１６】
図１に示すように、本発明の実施形態に係るコネクタ１は、図１に示すオスハウジング１００と、オスハウジング１００を収容する（オスハウジング１００が内挿される）ようにオスハウジング１００と嵌合するメスハウジング２００と、メスハウジング２００に回動可能に装着されるレバー３００と、メスハウジング２００内に配置されるスペーサ４００と、メスハウジング２００に装着される電線カバー５００と、を備える。
【００１７】
以下、図１に示すように、「嵌合方向」、「幅方向」、「上下方向」、「前」、「後」、「上」、「下」、及び、レバー３００の「回動方向」を定義する。「嵌合方向」、「幅方向」及び「上下方向」は、互いに直交する。図１は、レバー３００が仮係止位置（嵌合開始位置）にある状態を示しており、レバー３００は、仮係止位置（嵌合開始位置）から回動方向の後方に回動することにより、本係止位置（嵌合完了位置）に向けて移動する。なお、「嵌合方向」は、本発明の「収容方向」に対応している。
【００１８】
オスハウジング１００は、樹脂製であり、矩形の箱状の形状を有する。オスハウジング１００の内部には、嵌合方向に沿って、複数（本例では、８本）の電線Ｗ１の端部に接続された複数のオス端子Ｔ１（図３，４を参照）が保持されている。オスハウジング１００の上壁面及び下壁面には、それぞれ、カムボス１０１が形成されている。
【００１９】
メスハウジング２００は、樹脂製であり、矩形の箱状の形状を有する。オスハウジング１００との嵌合時、メスハウジング２００の内周面とオスハウジング１００の外周面とが重なるように、オスハウジング１００とメスハウジング２００とが嵌合する。メスハウジング２００の内部には、複数（本例では、８本）の電線Ｗ２の端部にそれぞれ接続された複数のメス端子Ｔ２（図２，３を参照）をそれぞれ収容する複数の端子収容室２０１（図３を参照）が嵌合方向に沿って形成されている。
【００２０】
図３（ａ）〜（ｃ）に示すように、メスハウジング２００には、コネクタ１を小型化する等の観点から、互いに隣り合う（図３（ａ）〜（ｃ）では、上下方向に隣り合う）２つの端子収容室２０１の間に開口領域２０４（端子収容室を区分けする壁が存在しない領域）が設けられている。更に、メスハウジング２００には、この開口領域２０４の前方側の領域を塞ぐように（開口領域２０４の開口面積を小さくするように）、開口領域２０４の前端周縁部２０４ａから後方に延びる支持壁２０５が設けられている。支持壁２０５の役割等については後述される。
【００２１】
メスハウジング２００の上壁及び下壁には、それぞれ、上下方向外側に突出する回動軸２０２が形成されている。この一対の回動軸２０２には、レバー３００の一対の孔３０２（レバー３００とメスハウジング２００との連結部）が嵌め込まれる。よって、レバー３００は、一対の回動軸２０２を中心に回動可能にメスハウジング２００に装着されることになる。
【００２２】
レバー３００は、樹脂製であり、略Ｕ字状の形状を有する。レバー３００の一対のアーム部３０１には貫通孔である一対の孔３０２が形成されている。一対の孔３０２にメスハウジング２００の一対の回動軸２０２が挿入されることにより、レバー３００は、一対のアーム部３０１がメスハウジング２００の上下面を挟んだ状態にて、メスハウジング２００に対して（一対の回動軸２０２を中心に）回動可能となっている。
【００２３】
レバー３００の一対のアーム部３０１の上下方向内側面にはそれぞれ、カム溝（図示省略）が形成されている。一対のカム溝は、オスハウジング１００及びメスハウジング２００の嵌合時、レバー３００の仮係止位置から本係止位置までの回動に伴ってオスハウジング１００の一対のカムボス１０１をカム溝の入口部から最奥部まで引き寄せるために設けられている。
【００２４】
スペーサ４００は、樹脂製であり、メスハウジング２００に配置されることで、メスハウジング２００に収容されたメス端子Ｔ２の抜けを防止する機能を有する。スペーサ４００は、メスハウジング２００の左側壁に設けられた開口２０３（図１を参照）を通じてメスハウジング２００内に挿入され、所定位置に配置される。図３（ａ）に示すように、メスハウジング２００の端子収容室２０１内にてメス端子Ｔ２を正規の位置に収容した状態にて、スペーサ４００を図３（ａ）に示すように配置すると、スペーサ４００の係合部４０１が、メス端子Ｔ２に設けられた係止片Ｔ２ａの後側の縁端部Ｔ２ａａと係合し得る状態となる。係止片Ｔ２ａは、嵌合方向に延びる板状片であり、メス端子Ｔ２の前後方向中央部付近に設けられている。なお、このとき、スペーサ４００の一部４０２が、２つの端子収容室２０１間の開口領域２０４の後側領域を塞ぐように、開口領域２０４の後側領域内に位置するようになっている。
【００２５】
このように、スペーサ４００がメスハウジング２００内の所定位置に配置された状態では、係止片Ｔ２ａの縁端部Ｔ２ａａがスペーサ４００の係合部４０１に当接することにより、正規の位置に収容されたメス端子Ｔ２の後方への抜けが防止される。即ち、スペーサ４００は、メス端子Ｔ２の後方への移動を規制するようにメス端子Ｔ２を係止する。なお、スペーサ４００は、開口領域２０４の後側領域を塞ぐことにより、メス端子Ｔ２の後側部分が開口領域２０４の後側領域に入り込むことも防止している。
【００２６】
再び図１を参照すると、電線カバー５００は、樹脂製であり、メスハウジング２００に設けられ且つメス端子Ｔ２に繋がる電線Ｗ２の配索方向を規制する機能を有する。本例では、図１に示すように、電線カバー５００は、メス端子Ｔ２から嵌合方向後側に延出する電線Ｗ２を屈曲させて左側に延びるように配索させている。
【００２７】
上述したようにスペーサ４００によってメス端子Ｔ２が端子収容室２０１に保持されたメスハウジング２００に対し、レバー３００を用いながらオスハウジング１００が嵌合される。なお、嵌合時のレバー３００の使用法は、一般的なレバー式コネクタと同様であるため、詳細な説明を省略する。
【００２８】
以下、本発明の実施形態に係るコネクタ１における支持壁２０５の役割について説明する。
【００２９】
上述したように、コネクタ１のメスハウジング２００には、開口領域２０４の前側領域を塞ぐように、開口領域２０４の前端周縁部２０４ａから後方に延びる支持壁２０５が設けられている（図３（ａ）〜（ｃ）を参照）。以下、この支持壁２０５の役割を説明する前に、先ず、支持壁２０５が設けられていない場合（比較例）について、図４（ａ）〜（ｃ）を参照しながら説明する。
【００３０】
この比較例において、図４（ａ）に示す状態では、メス端子Ｔ２の係止片Ｔ２ａの縁端部Ｔ２ａａと、スペーサ４００の係合部４０１との間に、嵌合方向において寸法Ａの隙間が存在している。この状態にて、メス端子Ｔ２の先端部Ｔ２ｂの先端面Ｔ２ｂｂは、開口領域２０４の前端周縁部２０４ａに対して、嵌合方向において寸法Ｂだけ前側に位置している。ここで、Ｂ＞Ａの関係がある。
【００３１】
よって、図４（ａ）に示す状態から、メス端子Ｔ２が寸法Ａだけ後側（図４（ａ）では、右側）に移動して係止片Ｔ２ａの縁端部Ｔ２ａａがスペーサ４００の係合部４０１と当接した状態になっても、メス端子Ｔ２の先端面Ｔ２ｂｂは、開口領域２０４の前端周縁部２０４ａよりも前側に位置している。このように、係止片Ｔ２ａの縁端部Ｔ２ａａとスペーサ４００の係合部４０１との係合（当接）によってメス端子Ｔ２がそれ以上後側に移動しない限り、メス端子Ｔ２の先端部Ｔ２ｂが開口領域２０４の前側領域に入り込むことがない、と考えられる。
【００３２】
しかし、実際には、メス端子Ｔ２に繋がる電線Ｗ２を配索する際に大きな外力が電線Ｗ２に及ぶ場合などにおいて、メス端子Ｔ２が電線Ｗ２に引かれて、係止片Ｔ２ａの縁端部Ｔ２ａａがスペーサ４００の係合部４０１に押し付けられると、図４（ｂ）及び図４（ｃ）に示すように、金属製の係止片Ｔ２ａの縁端部Ｔ２ａａが樹脂製のスペーサ４００の係合部４０１に食い込むことにより、メス端子Ｔ２が更に後方に移動する場合がある。
【００３３】
この比較例では、開口領域２０４の後側領域がスペーサ４００の一部で塞がれているものの、開口領域２０４の前側領域は塞がれていない。そのため、このようにメス端子Ｔ２の係止片Ｔ２ａの縁端部Ｔ２ａａがスペーサ４００の係合部４０１に食い込んだ場合、その食い込んだ箇所を中心にメス端子Ｔ２が回転するように傾きながら、メス端子Ｔ２の先端部Ｔ２ｂが開口領域２０４の前側領域に入り込む可能性がある。
【００３４】
このような傾きが生じても、傾きが小さければ、オス端子Ｔ１とメス端子Ｔ２との接続に特段の問題は生じない。しかし、図４（ｂ）に示すように、オス端子Ｔ１に対してメス端子Ｔ２の位置が大きく変位すると、オス端子Ｔ１とメス端子Ｔ２とが適正に接触できず、両者の接続が不十分となる可能性がある。図４（ｂ）に示す比較例では、オス端子Ｔ１の先端部がメス端子Ｔ２の周縁部に突き当たり、オス端子Ｔ１をメス端子Ｔ２の内部に挿入できない状態となっている。よって、メス端子Ｔ２の傾きを抑制することが望ましい。
【００３５】
そこで、図３（ａ）に示すように、実施形態に係るコネクタ１のメスハウジング２００では、開口領域２０４の前側領域を塞ぐように、開口領域２０４の前端周縁部２０４ａから後方に延びる支持壁２０５が設けられている。支持壁２０５の前後方向における長さＣは、係止片Ｔ２ａが当接することになるスペーサ４００の係合部４０１の前後方向における厚さＤよりも長い、ように構成されている。
【００３６】
このように支持壁２０５が設けられると、メス端子Ｔ２が係止片Ｔ２ａをスペーサ４００に食い込ませながら後方に移動しても、支持壁２０５によってメス端子Ｔ２の先端部Ｔ２ｂが支持される。このため、メス端子Ｔ２に傾き（位置ズレ）が生じることが抑制される。よって、コネクタ１は、隣接する端子収容室２０１同士の間に開口領域２０４がある場合において、メス端子Ｔ２がスペーサ４００に食い込むような事態が生じても、端子収容室２０１内でのメス端子Ｔ２の傾きを抑制することが可能である。その結果、コネクタ１は、電線Ｗ２に大きな外力が及ぶような使用環境下においても、支持壁２０５を有さない比較例（図４（ａ）〜（ｃ））に比べてより確実にオス端子Ｔ１とメス端子Ｔ２とを接続させることができる。
【００３７】
更に、上述した効果とは別に、実施形態に係るコネクタ１は以下の効果も有する。
【００３８】
具体的には、メス端子Ｔ２は、一般に、金属板を所定形状に打ち抜いた板材を湾曲等させて製造される。そのため、メス端子Ｔ２の係止片Ｔ２ａの縁端部Ｔ２ａａの端面（打ち抜き面）は、板材の主面（換言すると、嵌合方向）に対してほぼ垂直になっている。そのため、メス端子Ｔ２が後方に移動してスペーサ４００に食い込むとき、図３（ｂ）及び図３（ｃ）に示すように、メス金具Ｔ２が傾いていなければ、係止片Ｔ２ａの縁端部Ｔ２ａａの端面を先頭にしてスペーサ４００内を進行する。
【００３９】
これに対し、図４（ｂ）及び図４（ｃ）に示すように、メス端子Ｔ２が傾いていると、係止片Ｔ２ａの縁端部Ｔ２ａａの端面と主面との境界（打ち抜きの際に生じたエッジｅ。図４（ｃ）を参照）を先頭にしてスペーサ４００内を進行することになる。
【００４０】
後者（エッジｅが先頭）の場合、前者（端面が先頭）に比べ、スペーサ４００内を係止片Ｔ２ａが切り裂いて進行し易いため、スペーサ４００へのメス端子Ｔ２の食い込み量が大きくなる傾向がある。よって、食い込み量を小さくする点でも、前者（端面が先頭）の方が後者（エッジが先頭）よりも好ましい。食い込み量が過度に大きい場合、仮にメス端子Ｔ２の傾きが小さくても、オス端子Ｔ１とメス端子Ｔ２とが大きく離れ、両者の接続が不十分となる可能性がある。
【００４１】
よって、図３（ａ）〜（ｃ）に示すコネクタ１のようにメス端子Ｔ２の傾きが抑制されれば、メス端子Ｔ２が過剰な食い込みによって後方に移動し過ぎることを抑制できる。そして、メス端子Ｔ２の後方への移動を抑制することにより、オス端子Ｔ１とメス端子Ｔ２との電気的接続が不十分となることを抑制できる。
【００４２】
更に、支持壁２０５の長さＣが、スペーサ４００の係合部４０１の厚さＤよりも長い。そのため、係止片Ｔ２ａが係合部４０１に食い込んだ場合であっても、係止片Ｔ２ａの食い込み量がスペーサの厚みＤよりも小さい限り（即ち、係止片Ｔ２ａが係合部４０１を貫通しない限り）、支持壁２０５によってメス端子Ｔ２の先端部Ｔ２ｂが支持され、メス端子Ｔ２に傾き（位置ズレ）が生じることが抑制される。よって、コネクタ１は、実用上、ほぼ確実にメス端子Ｔ２の傾きを抑制できる。
【００４３】
＜他の態様＞
なお、本発明は上記各実施形態に限定されることはなく、本発明の範囲内において種々の変形例を採用できる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４４】
例えば、上記実施形態では、オスハウジング１００とメスハウジング２００との嵌合を補助するためのレバー３００が設けられている。これに対し、本発明に係るコネクタは、このようなレバーを備えなくてもよい。更に、上記実施形態では、レバー３００が回動軸２０２周りに回動可能であるようにメスハウジング２００に装着されている。これに対し、レバー３００は、メスハウジング２００に対してスライドするように移動可能であるようにメスハウジング２００に装着されてもよい。
【００４５】
ここで、上述した本発明に係るコネクタ１の実施形態の特徴を以下（１）及び（２）に簡潔に纏めて列記する。
（１）
複数の端子収容室（２０１）を有するハウジング（２００）と、前記複数の端子収容室（２０１）の各々に収容方向前方に挿入される端子金具（Ｔ２）と、前記端子金具（Ｔ２）の収容方向後方への移動を規制するように前記端子金具（Ｔ２）を係止するスペーサ（４００）と、を備えたコネクタ（１）において、
前記端子金具（Ｔ２）は、
収容方向に延びる板状の係止片（Ｔ２ａ）を有すると共に、前記係止片（Ｔ２ａ）の収容方向後方の縁端部（Ｔ２ａａ）が前記スペーサ（４００）に当接することによって係止され、
前記ハウジング（２００）は、
互いに隣り合う２つの前記端子収容室（２０１）の間に画成された開口領域（２０４）と、前記開口領域（２０４）の開口面積を小さくするように前記開口領域（２０４）の周縁部（２０４ａ）から収容方向後方に延びる支持壁（２０５）と、を有し、
前記支持壁（２０５）は、  
少なくとも一方の前記端子収容室（２０１）に収容される前記端子金具（Ｔ２）が前記係止片（Ｔ２ａ）の前記縁端部（Ｔ２ａａ）を前記スペーサ（４００）に食い込ませながら収容方向後方に移動した場合であっても、前記端子金具（Ｔ２）の先端部（Ｔ２ｂ）が前記開口領域（２０４）を通じて他方の前記端子収容室（２０１）に近づかないように、前記先端部（Ｔ２ｂ）を支持する、
コネクタ。
（２）
上記（１）に記載のコネクタにおいて、
前記支持壁（２０５）は、
前記収容方向における長さ（Ｃ）が、前記係止片（Ｔ２ａ）が当接することになる前記スペーサの部分（４０１）の前記収容方向における厚さ（Ｄ）よりも長い、ように構成されている、
コネクタ。
【符号の説明】
【００４６】
１  コネクタ
２００    メスハウジング（ハウジング）
２０１    端子収容室
２０４    開口領域
２０４ａ  前端周縁部２０４（周縁部）
２０５    支持壁
４００    スペーサ
５００    電線カバー（カバー）
Ｔ２      メス端子（端子金具）
Ｔ２ａ    係止片
Ｔ２ａａ  縁端部
Ｔ２ｂ    先端部
【図１】
2019032938.tif 000003
【図２】
2019032938.tif 000004
【図３】
2019032938.tif 000005
【図４】
2019032938.tif 000006